(57)【特許請求の範囲】
【請求項１】
テレコミュニケーションネットワークにおいてデータを送信するための送信方法であって、上記ネットワークは、コアネットワーク(CN)及びアクセスネットワーク(AN)を備え、そしてアクセスネットワーク(AN)は、ＧＳＭベースのアクセスシステム形式の少なくとも１つのアクセスシステム(RAN;BSS)を含み、上記方法は、上記アクセスネットワーク(AN)のＧＳＭベースのアクセスシステム形式の上記少なくとも１つのアクセスシステム(BSS)と上記コアネットワーク(CN)との間でＩｕインターフェイス(Iu-I/F)を経てデータを送信する段階を含み、
上記少なくとも１つのアクセスシステム(RAN,BSS)の各々は、少なくとも１つのトランシーバ装置(BS)と、関連トランシーバ制御装置(RNC/BSC)とを備え、そしてデータは、上記アクセスシステム(RAN,BSS)各々の中でＩｕｂ及び／又はＩｕｒインターフェイスを経て上記Ｉｕインターフェイス(Iu-IF)に対して採用されたものと同じフレームフォーマットで送信されることを特徴とする方法。
【請求項２】
データは、ＵＭＴＳ（ユニバーサル移動テレコミュニケーションシステム）仕様により指定されたようにコード化されたコードデータとして、又はＧＳＭ仕様に基づいてコード化されたコードデータとして上記インターフェイスを経て送信される請求項１に記載の方法。
【請求項３】
ＧＳＭ仕様書に基づいてコード化された上記送信データは、ＧＳＭスピーチデータ及び回路交換データの送信に適応される指定の搬送フレームを使用して上記インターフェイスを経て送信される請求項２に記載の方法。
【請求項４】
上記搬送フレームは、スピーチフレーム、Ｏ＆Ｍフレーム、データフレーム、或いはＧＳＭ推奨勧告ＧＳＭ０８．６０、ＧＳＭ０８．６１又はＧＳＭ０８．６２の仕様に基づく拡張データフレームである請求項３に記載の方法。
【請求項５】
コアネットワーク(CN)及びアクセスネットワーク(AN)を備え、アクセスネットワーク(AN)は、ＧＳＭベースのアクセスシステム形式の少なくとも１つのアクセスシステム(RAN;BSS)を含むようなテレコミュニケーションネットワークにおいて、上記コアネットワーク(CN)は、Ｉｕインターフェイス(Iu-I/F)を経て上記アクセスネットワーク(AN)のＧＳＭベースのアクセスシステム形式の上記少なくとも１つのアクセスシステム(RAN,BSS)に接続され、
上記少なくとも１つのアクセスシステム(RAN,BSS)の各々は、少なくとも１つのトランシーバ装置(BS)と、関連トランシーバ制御装置(RNC/BSC)とを備え、そしてデータは、上記アクセスシステム(RAN,BSS)各々の中でＩｕｂ及び／又はＩｕｒインターフェイスを経て上記Ｉｕインターフェイス(Iu-IF)に対して採用されたものと同じフレームフォーマットで送信されることを特徴とするテレコミュニケーションネットワーク。
【請求項６】
上記コアネットワーク(CN)は、ＧＳＭ仕様に基づくトランスコード機能(TC)及びＵＭＴＳ仕様に基づくトランスコード機能(IWU)を遂行するように適応されたネットワーク要素(IWU/TC)を含む請求項５に記載のネットワーク。
【請求項７】
上記ネットワーク要素(IWU/TC)には、上記アクセスネットワーク(AN)に接続するためのＩｕインターフェイス(Iu-I/F)と、コアネットワーク制御装置(MSC)に接続するためのＡインターフェイス(A)とが設けられる請求項６に記載のネットワーク。
【請求項８】
上記ネットワーク要素(IWU/TC)は、コアネットワーク制御装置(MSC)に関連した上記コアネットワーク(CN)のゲートウェイ(GW)ネットワーク要素である請求項６に記載のネットワーク。
【請求項９】
ＧＳＭ仕様に基づく制御機能(BSC)と、ＵＭＴＳ仕様に基づく制御機能(RNC)とを遂行するようにトランシーバ制御装置(BSC/RNC)が適応される請求項５ないし８のいずれかに記載のネットワーク。
【請求項１０】
上記トランシーバ制御装置(BSC/RNC)には、上記コアネットワーク(CN)に接続するための上記Ｉｕインターフェイス(Iu-I/F)が設けられる請求項９に記載のネットワーク。
【発明の詳細な説明】
【０００１】
【技術分野】
本発明は、テレコミュニケーションネットワーク内で且つ対応するテレコミュニケーションネットワークへデータを送信するための送信及び相互接続方法に係る。更に、本発明は、このようなテレコミュニケーションネットワークに使用され及び／又はその一部分を形成する対応するネットワーク要素にも係る。特に、本発明は、無線テレコミュニケーションをベースとする移動テレコミュニケーションネットワークにも係る。
【０００２】
【背景技術】
現在利用されている移動無線テレコミュニケーションシステム、例えば、既存のＧＳＭシステムでは、使用可能な無線スペクトルに限度があり及び／又はそのような目的で指定されるために、無線リソースが制限される。低いビットレートで動作するコーデック（エンコード−デコード装置）を使用することにより無線リソースの節約が達成される。即ち、このような低ビットレートのコーデックでは、無線インターフェイスの送信レートが、現在のＧＳＭシステムにおける１３ｋｂｐに減少され／そこから拡張される。
更に、ＧＳＭネットワークのような既存の移動無線テレコミュニケーションネットワークは、現在普及しているＩＳＤＮネットワーク（サービス総合デジタル網）のような既存の公衆交換電話ネットワークＰＳＴＮと協働しなければならない。
【０００３】
しかしながら、ＩＳＤＮ−ＰＳＴＮネットワークは、主として、スピーチデータに対してパルスコード変調（ＰＣＭ）の６４ｋｂｐｓの表示を使用し、一方、移動無線テレコミュニケーションネットワークは、上記の１３ｋｂｐｓの表示を使用している。
従って、２つの形式のネットワーク間のインターフェイスＩ／Ｆにおける相互動作性を与えねばならず、これは、ＩＷＦユニットとも称されるインターワーキングファンクションユニット又はゲートウェイユニット（ＧＷ）によって達成される。
ＩＳＤＮ−ＰＳＴＮネットワークから、無線テレコミュニケーションネットワークの無線ターミナル装置である移動ステーションＭＳへ（及びそれとは逆に）コールが転送される場合には、両側に即ちネットワーク側とターミナル装置側にスピーチコード機能が要求される。即ち、ＩＳＤＮ−ＰＳＴＮネットワークから転送されるコールのスピーチデータは、無線インターフェイス（エアインターフェイスＵｍ）を経て送信するためにネットワーク側でコード化されねばならず、そして「応答」のスピーチデータがターミナル装置側から送信される場合にも、スピーチデータは、エアインターフェイスを経て送信するためにコード化されねばならない。
【０００４】
テレコミュニケーションネットワークの無線アクセス部分又はアクセスネットワーク（例えば、ベーストランシーバステーション）と、例えば、ＧＳＭシステムに基づきテレコミュニケーションネットワークのコアネットワークの一部分である移動サービス交換センターＭＳＣに関連したスピーチコーデックス部分（例えば、トランスコーダ及び／又はトランスコードレート及び適応ユニットＴＲＡＵ）との間で時分割マルチプレクスシング（ＴＤＭ）を使用してコードスピーチを送信することは、いわゆるＴＲＡＵフレームを使用して行われる（その詳細については、ＧＳＭ０８．６０を参照されたい）。
ここで、２つのターミナル装置ＭＳ＿ＡとＭＳ＿Ｂとの間にコールが確立される場合には、それらの間に送信されるスピーチデータは、通常、２回トランスコード化される。即ち、最初に、スピーチは、ターミナル装置ＭＳ＿Ａにおいてエンコードされ、その後、ネットワークにおいてデコードされる。従って、スピーチデータは、６４ｋｂｐｓのＰＣＭフォーマットで存在する。その後、スピーチは、ターミナルＭＳ＿Ｂへ送信するためにネットワークにおいて再びエンコードされ、そしてターミナルにおいて受信時にデコードされる。
【０００５】
従って、コード化が２回実行されるが、このような二重コード化は、送信されるスピーチのクオリティに悪影響を及ぼし、これは、当然、望ましくない。
図１は、ＧＳＭ仕様に基づく既知のテレコミュニケーションシステムを示す。移動サービス交換センターＭＳＣは、ＡインターフェイスＡ−Ｉ／Ｆを経てトランスコーダＴＣに接続される。トランスコーダＴＣは、次いで、ＡｔｅｒインターフェイスＡｔｅｒ−Ｉ／Ｆを経てトランシーバ制御装置であるベースステーションコントローラＢＳＣに接続される。ベースステーションコントローラは、次いで、ＡｂｉｓインターフェイスＡｂｉｓ−Ｉ／Ｆを経てトランシーバ装置即ちベースステーションＢＳに接続される。このようなベースステーション（ベーストランシーバステーション）ＢＳは、エアインターフェイス又はＵｍインターフェイスＵｍ−Ｉ／Ｆとも称する無線インターフェイスＲＡＤＩＯ−Ｉ／Ｆを経て移動ステーションＭＳのような加入者ターミナルと通信する。
【０００６】
上記ネットワークでは、少なくともＭＳＣがいわゆるコアネットワークの一部分を形成し、一方、少なくともＢＳＣ及びＢＳがアクセスネットワーク（無線アクセスネットワーク）を構成する。ＧＳＭに基づきスピーチコード化及びデータレート適応を含むＴＲＡＵ機能を与えるトランスコーダＴＣについては、このトランスコーダは、アクセスネットワーク側に論理的に関連され、即ちオープンインターフェイスであるＡインターフェイスＡ−Ｉ／Ｆを経てコアネットワーク即ちＭＳＣと通信するベースステーションシステムＢＳＳ（ＢＳＣ及びＢＳにより形成された）に関連される。
ここでの説明は、一方のオープンインターフェイスと他方の所有インターフェイスとの間を区別することに注意されたい。「所有」インターフェイスという用語は、個々のネットワーク特有のインターフェイスを指すもので、従って、ネットワークオペレータに依存し、一方、「オープンインターフェイス」という用語は、個々のネットワークに対して独立したインターフェイスを指すもので、従って、異なるネットワークからアクセスできるネットワークオペレータとは独立しており、おそらく、異なるオペレータによって実行される。
【０００７】
従って、トランスコーダＴＣの説明に戻ると、上記のことは、ベースステーションシステムＢＳＳがトランスコーダＴＣの動作を制御することを意味する。しかしながら、スピーチのようなデータ及び／又は他のデータは、ＡインターフェイスＡ−Ｉ／Ｆにおいて６４ｋビット／ｓのＰＣＭモードで存在する。しかしながら、高いデータレートでの送信は、費用がかかり、それ故、トランスコーダは、物理的にコアネットワーク側に配置され、即ちコアネットワーク制御装置であるＭＳＣに接近して配置され、これにより、コアネットワークのデータレートが予め減少される。従って、スピーチ及び／又は送信されるべき他のデータは、トランスコーダ及びベースステーションコントローラＢＳＣから物理的に実際に長い送信経路を経てコードフォーマットで送信され、この送信経路は、ＡｔｅｒインターフェイスＡｔｅｒ−Ｉ／Ｆと称される。
【０００８】
しかしながら、近年、新規なテレコミュニケーションシステムが現在開発されており、これらシステムは、第３世代システム（３Ｇシステムと省略する）と称される。このような３Ｇシステムの特定例は、ＵＭＴＳ（ユニバーサル移動テレコミュニケーションシステム）及び／又はＩＭＴＳ−２０００（２０００年のインターナショナルモービルテレコミュニケーションシステム）である。
これらの３Ｇテレコミュニケーションシステムでは、トランスコーダＴＣがコアネットワーク側にも論理的に関連され（そしてほとんどの場合にそこに物理的に配置され）、そしてオープンＩｕインターフェイスＩｕ−Ｉ／Ｆを経て対応する３Ｇアクセスネットワークと通信する。即ち、データ／スピーチは、ＡＴＭの送信原理（非同期送信モード）に基づきこのインターフェイスを経てコード化フォーマットで送信される。
【０００９】
図２は、移動ステーションＭＳのようなＧＳＭベースのターミナルと、図２に３Ｇ＿ＭＳと示された第３世代ベースのターミナルとの通信を確立するよう構成されたテレコミュニケーションネットワークの特定の実施形態を示す。図１に関連して上述したものと同様又は同一の部分は、同じ参照記号で示され、そして図２については説明を繰り返さない。
図２に示す特定の構成は、３ＧコアネットワークがＧＳＭ技術に基づくもので、即ちＧＳＭベースのコアネットワーク制御装置ＭＳＣを使用する場合を示している。この場合には、同じＭＳＣが、オープンＡインターフェイスＡ−Ｉ／Ｆを経て、ＧＳＭを通る通信と、３Ｇ（例えば、ＵＭＴＳ）無線ネットワークを通る通信を取り扱う／管理することができる。
【００１０】
それ故、図２に示すように、ＡインターフェイスＡ−Ｉ／ＦとＩｕインターフェイスＩｕ−Ｉ／Ｆとの間の適応を行うよう構成されたインターワーキングユニットＩＷＵをシステムの３Ｇ部分に対して設けねばならない。従って、図２に示すように、インターワーキングユニットＩＷＵに関連して３ＧトランスコーダＴＣを配置しなければならない。（別のケース（図示せず）では、Ｉｕインターフェイスを伴わずに３Ｇ無線ネットワークコントローラＲＮＣに関連してトランスコーダを配置することができる。）
いずれにせよ、このようなケースでは、ＧＳＭ部分のトランスコーダＴＣを、ベースステーションシステムＢＳＳ（ＢＳＣ及びＢＳより成る）の他部分と同じ製造者から購入しなければならない。というのは、ＡｔｅｒインターフェイスＡｔｅｒ−Ｉ／Ｆが各製造者及び／又はネットワークオペレータに独特に適応された所有インターフェイスだからである。しかしながら、３Ｇネットワーク部分のトランスコーダＩＷＵ／ＴＣについては、そうではなく、このトランスコーダは、トランスコーダを供給しなければならない製造者に関して特殊な要件を課すものではない。
【００１１】
従って、上述したように制約が課せられるために、このようなテレコミュニケーションシステムは、柔軟性が低く且つネットワーク要素の適合性が悪いことで悩まされている。更に、異なるトランスコードハードウェアリソースを設けねばならない。
現在の形態では、Ａｂｉｓインターフェイスに使用されるデータフォーマット即ちＴＲＡＵフレームにおいてＧＳＭのＡｔｅｒインターフェイスを経てデータが送信される。しかしながら、これらのフレームは、ＴＤＭに対してしか指定されていない（ＰＣＭ送信及び各実施形態も所有権のあるものである）。
従って、これら実施形態も、上記欠点で悩まされている。
【００１２】
【発明の開示】
従って、本発明の目的は、上記問題を克服する送信方法、テレコミュニケーションネットワーク、及び対応するネットワーク要素を提供することである。
本発明によれば、この目的は、テレコミュニケーションネットワークにおいてデータを送信するための送信方法であって、上記ネットワークは、コアネットワーク及びアクセスネットワークを備え、アクセスネットワークは、ＧＳＭベースのアクセスシステム形式の少なくとも１つのアクセスシステムを含み、上記方法は、上記アクセスネットワークのＧＳＭベースのアクセスシステム形式の上記少なくとも１つのアクセスシステムと上記コアネットワークとの間でＩｕインターフェイスを経てデータを送信する段階を含む方法によって達成される。
【００１３】
又、本発明によれば、この目的は、コアネットワーク及びアクセスネットワークを備え、アクセスネットワークは、ＧＳＭベースのアクセスシステム形式の少なくとも１つのアクセスシステムを含むようなテレコミュニケーションネットワークにおいて、上記コアネットワークは、Ｉｕインターフェイスを経て上記アクセスネットワークのＧＳＭベースのアクセスシステム形式の上記少なくとも１つのアクセスシステムに接続されるテレコミュニケーションネットワークによって達成される。
更に、本発明は、上記テレコミュニケーションネットワークに使用され及び／又はその一部分を形成するように適宜構成されたネットワーク要素にも係る。
本発明の更に別の好ましい改善は、従属請求項に記載する。
【００１４】
従って、本発明が実施された状態では、ＧＳＭベース及びＵＭＴＳベースの無線システム又は無線アクセスネットワークのような異なる無線システムを同じコアネットワーク要素に接続することができる。
従って、両アクセスシステムは、できるだけ多くのハードウェア及び送信容量リソースを共用することができる。
より詳細には、ＧＳＭスピーチ／回路交換データフォーマットが３Ｇ（オープン）Ｉｕインターフェイスによりサポートされるために、相当の節約を果たすことができる。というのは、ＧＳＭベースのトランスコーダ及び第３世代ベースのトランスコーダを一体化でき、ひいては、同じネットワークノードにおいて実施できるからである。換言すれば、両アクセスシステムに対して同じトランスコーダＴＣリソースを使用することができる。
【００１５】
又、ＧＳＭベースのベースステーションコントローラ及び第３世代の無線ネットワークコントローラは、同じネットワーク要素として一体的に設けることができる。従来別々のネットワーク要素をこのように「合体」すると、ＧＳＭベースのトランシーバ装置及び／又はベースステーションと、第３世代ベースのベースステーションをテレコミュニケーションネットワークに同時に容易に接続できるという点で効果がある。
更に別の実施形態によれば、トランスコーダは、他のネットワークへの接続を確立するテレコミュニケーションネットワークのゲートウェイ位置／ゲートウェイノードに配置することができる。これは、更に別の最適化を行えるようにし、特に、本出願人の以前の特許出願ＰＣＴ／ＥＰ９９／０１６１５号に開示された最適化の可能性を、得られるネットワーク構造に適用することができる。
【００１６】
更に、ＧＳＭベースのトランシーバ装置（ベースステーション）及び第３世代ベースのトランシーバ装置（ＷＣＤＭＡ（＝ワイドバンドコード分割多重アクセス）をベースとする）の送信原理を一体化又は合体して、Ｉｕインターフェイスをトランシーバ装置からコアネットワークまで拡張することができ、従って、ＡＴＭ（第３世代に使用される）をベースとするＲＮＣ／ＢＳＣは、Ｉｕインターフェイスを経てトランシーバ装置即ちベースステーションまでコードスピーチ／データを直接的に転送することができる。
本発明は、添付図面を参照して容易に理解できよう。
【００１７】
【発明を実施するための最良の形態】
以下、添付図面を参照して、本発明を詳細に説明する。
本発明によれば、「通常」の第３世代データ／スピーチフォーマットに加えて第３世代仕様に基づきオープンＩｕインターフェイスを経てＧＳＭコードスピーチ及び／又は回路交換データを送信することにより、テレコミュニケーションネットワークのＧＳＭベースの部分に対して以前に必要であったＡｔｅｒインターフェイスを省略することができる。データ／スピーチは、Ｉｕインターフェイスを経てのＧＳＭスピーチ／回路交換データの搬送をサポートする指定の搬送フレームを使用してＩｕインターフェイスを経て送信される。
図３は、本発明の第１実施形態に基づくテレコミュニケーションネットワークのネットワークアーキテクチャーを示す。この特定例は、コアネットワーク制御装置即ち移動サービス交換センターＭＳＣがＧＳＭベースであることを仮定している。
【００１８】
ネットワークは、コアネットワークＣＮ及びアクセスネットワークＡＮを備えている。コアネットワークは、ゲートウェイネットワーク要素（図示せず）を経て、ＰＳＴＮ／ＩＳＤＮのような外部通信ネットワーク（図示せず）又はインターネットのようなインテリジェントネットワーク（ＩＮ）と通信することができる。
コアネットワークは、図３に示すように、移動サービス交換センターＭＳＣのようなコアネットワーク制御装置を備えている。しかしながら、コアネットワークには２つ以上のＭＳＣを含むことができ、そしてこのようなＭＳＣの１つは、ゲートウェイ機能を与えるように構成され、従って、ゲートウェイＭＳＣ（ＧＭＳＣ）を表わす。
【００１９】
ＭＳＣは、図３に示すように、ＡインターフェイスＡ−Ｉ／Ｆを経てネットワーク要素ＩＷＵ／ＴＣと通信し、該ネットワーク要素は、インターワーキングユニットＩＷＵの機能をトランスコーダＴＣの機能と結合する。インターワーキングユニットＩＷＵの機能は、ＡインターフェイスＡ−Ｉ／ＦをＩｕインターフェイスＩｕ−Ｉ／Ｆに適応させるよう構成され、一方、トランスコーダＴＣの機能は、ＧＳＭベースのネットワーク部分と３Ｇベースのネットワーク部分に対する合成トランスコード機能であり、従って、このトランスコード機能のリソースは、ＧＳＭ及び３Ｇの両システムにより共用される。
従って、コアネットワークは、ＩｕインターフェイスＩｕ−Ｉ／Ｆを経てアクセスネットワークＡＮと通信する。
アクセスネットワークＡＮは、異なるアクセスシステム形式の少なくとも２つのアクセスシステム（各々ＲＡＮ、ＢＳＳで示す）を備えている。即ち、ＲＡＮは、第３世代規格に合致する無線アクセスシステムを指定し、一方、ＢＳＳは、ＧＳＭ規格に合致するベースステーションシステムを指定する。
【００２０】
より詳細には、ＩｕインターフェイスＩｕ−Ｉ／Ｆは、コアネットワークから、図３にＲＮＣ／ＢＳＣで示されたアクセスネットワーク制御装置へと延びる。これは、両アクセスシステム形式の制御機能が１つの同じネットワーク要素ＲＮＣ／ＢＳＣに一体化されることを指示する。このネットワーク要素ＲＮＣ／ＢＳＣは、第３世代の無線ネットワークコントローラＲＮＣの機能を、ＧＳＭベースのベースステーションコントローラＢＳＣの機能と合成する。従って、ＧＳＭベースのベースステーションＢＳ及び第３世代ベースのベースステーションＢＳ（「ノードＢ」とも称される）を同時にネットワークに接続することが非常に容易である。というのは、それらが同じコントローラリソースを共用できるからである。
しかしながら、ＲＮＣ／ＢＳＣネットワーク要素は、機能的及び／又は論理的な合成により物理的に分離することもできる。しかし、このような場合には、そのＢＳＣ部分に、ＩｕインターフェイスＩｕ−Ｉ／ＦへのＡＴＭベースの接続を設けなければならない。この場合に、ＢＳＣがスタンドアローンエンティティであり、そしてＩｕインターフェイスへのＡＴＭ接続は設けられるが、ＡｂｉｓインターフェイスへのＡＴＭ接続は設けられないならば（ＴＤＭ送信をベースとする）、ＢＳＣは、ＴＤＭベースのデータ送信フォーマット（例えば、ＧＳＭ推奨勧告０８．６０に規定されたＴＲＡＵフレーム）と、Ｉｕインターフェイスに使用されるＡＴＭフレームフォーマットとの間で変換を行うように構成される。従って、この機能は、ＢＳＣに配置されるのが好ましい。
【００２１】
更に、ＩＷＵ／ＴＣ要素とＲＮＣ／ＢＳＣ要素の両方は、図３では一体化されたネットワーク要素として示されているが、それらの一方のみをネットワークにおける一体化されたネットワーク要素としてもうけることもできる。
図示された実施形態の変形（図示せず）においては、上記トランシーバ装置ＢＳの各々が、上記同じインターフェイス形式Ｉｕ−Ｉ／Ｆの上記インターフェイスを経て上記関連トランシーバ制御装置ＲＮＣ／ＢＳＣに接続されることも考えられる。換言すれば、ＢＳとＲＮＣ／ＢＳＣとの間の送信は、ＡＴＭのような同じ媒体／送信原理を使用し、ＩｕインターフェイスがコアネットワークＣＮから（アクセスネットワーク部分を経て）トランシーバステーションＢＳまで延びるようにしなければならない。
図４は、本発明の第２実施形態によるテレコミュニケーションネットワークのネットワークアーキテクチャーを示す。この特定例では、コアネットワーク制御装置即ち移動サービス交換センターＭＳＣが第３世代仕様に基づくと仮定している。
【００２２】
図４に示すように、コアネットワークＣＮは、この特定例では２つのＭＳＣより成り、その一方のＭＳＣには、外部通信ネットワーク、ここに示す例ではＰＳＴＮ／ＩＳＤＮ、との通信を可能にするためのゲートウェイ機能ＧＷが更に設けられる。
ＭＳＣが第３世代の仕様に合致するために、個別のＩＷＵ機能は必要とされない。それ故、トランスコーダ機能ＴＣは、ゲートウェイ機能に配置することができる。トランスコーダ機能ＴＣは、ＧＳＭベースのトランスコーダ機能ＧＳＭ−ＴＣと、第３世代ベースのトランスコーダ機能３Ｇ−ＴＣとを備えている。
【００２３】
コアネットワークＣＮは、第１実施形態の場合と同様に、Ｉｕインターフェイスのみを経てアクセスネットワークに接続される。アクセスネットワークは、異なるアクセスシステム形式として第３世代ベースのアクセスネットワーク部分ＲＡＮ及びＧＳＭベースのアクセスネットワーク部分ＢＳＳのみが図示されているという点で、第１の実施形態に比して簡単に示されている。ここに示す実施形態の残りの部分で、第１の実施形態と同じ参照符号で示された部分は、同様の成分及び／又はネットワーク要素及び機能を示し、それらを繰り返し詳細に説明することは省く。図４のコアネットワークＣＮにおいて、異なる個々のＭＳＣ間のインターフェイスは、Ｅ−Ｉ／Ｆで示されたいわゆるＥインターフェイスによって構成されることに注意されたい。
より詳細には、ＲＡＮ及びＢＳＳアクセスネットワークシステムは、図４に示すＭＳＣの各々に接続することができ、即ち図３に示すケースと同様に、単一のＭＳＣで２つの異なるアクセスネットワークシステムの制御に対処できることに注意されたい。
【００２４】
図４に示すケースでは、ＧＳＭアクセスが使用される場合も全ＰＬＭＮ（公衆地上移動ネットワーク）内で送信節約を果たすことができる。しかし、このようなネットワーク内のＭＳ−ＭＳコールについては、ターミナル装置即ち移動ステーションＭＳに使用されるスピーチコーデックが両移動ステーションにおいて同じでなければならない。
又、第２及び第１の実施形態では、スピーチデータ／回路交換データ送信に対する搬送フレームが、スピーチフレーム、Ｏ＆Ｍフレーム、データフレーム、或いはＧＳＭ推奨勧告ＧＳＭ０８．６０、ＧＳＭ０８．６１又はＧＳＭ０８．６２の仕様（タンデムフリーオペレーションＴＦＯを規定する）をベースとする拡張データフレームである。これらの推奨勧告は、ＧＳＭコードスピーチフォーマット仕様を含み、特に後者のものは、オープンＡインターフェイスに対するフレームフォーマットを規定している。
【００２５】
より詳細には、図５は、１６ｋビット／ｓのＴＲＡＵフレームの構造を示す。図５のスピーチフレームの構造は、ＧＳＭ仕様書の第０８．６０章に規定されている。オクテット４−３８におけるビットＤ１−Ｄ２６０は、実際のスピーチパラメータを送信するのに使用される。最初の２つのオクテットにおけるビットは「０」とコード化される。当該ビットと、オクテット２、４、６・・３６及び３８における第１ビット（「ｎ１」とコード化される）は、同期ビットである。本発明によれば、当該ビットは、ＡＴＭ接続に必要とされないので、その接続を経て送信されない。当該ＴＲＡＵフレームの最後の４ビットＴ１−Ｔ４（ストップビット）及びスペアビットＣ１８−Ｃ２１は、ＡＴＭ接続を経て送信されない。更に、スピーチを指示するためにＴＲＡＵフレームに使用されるフラグ即ちビットＣ１６は、その値を受信端においてサイレンス記述子ＳＩＤフラグＣ１３−Ｃ１４の値に基づいて検出できないので、ＡＴＭ接続に送信されない。図５では、本発明によりＡＴＭ接続を経て送信されるビットが太字で示され、そして除外されるビットが通常の文字で示されている。（ＡＴＭ接続は、ここでは、Ｉｕインターフェイスを経ての通信を意味することに注意されたい。）
【００２６】
図６は、ＡＴＭ接続（ＩｕインターフェイスＩｕ−Ｉ／Ｆ）に使用されそしてこの接続において本発明により図５に示したＴＲＡＵフレームに置き換わる第１フレーム形式を示す。図６のフレームは、アップリンク方向（ベースステーションシステムから移動サービス交換センターに向かう方向）及びダウンリング方向（移動サービス交換センターからベースステーションシステムに向かう方向）に使用することができる。
図６のフレームでは、スピーチパラメータを送信するのにビットＤ１−Ｄ２６０が使用される。ビットＣ１−Ｃ５は、フレーム形式を指示する。ビットＣ６−Ｃ１１は、タイミングビットである。ビットＣ１２は、不良フレーム指示ＢＦＩに使用される。ビットＣ１３及びＣ１４は、ＳＩＤフラグを形成する。ビットＣ１５は、ＴＡＦフラグを形成する。ビットＣ１７は、ダウンリンク方向の不連続送信を制御するためにアップリンク方向に使用される。当該ビットは、ダウンリンク方向のスペアビットである。ビットＤＳ１は、当該フレームがトランスコーダユニットから発生するか又はベースステーションシステムから発生するか指示するのに使用される。ビットＳ１−Ｓ３は、スペアビットである。
【００２７】
図７は、８ｋビット／ｓのＴＲＡＵフレームの構造を示す。図７のサブマルチプレクスされた８ｋビット／ｓのスピーチフレームでは、本発明によってＡＴＭ接続を経て送信されるビットが太字で示されている。図７から、除外されるべきビットは、例えば、同期ビットを含むことが明らかである。
図８は、ＡＴＭ接続に使用されそしてその接続において本発明によって図７のＴＲＡＵフレームに置き換わる第２フレーム形式を示す。ＣＲＣビットＣＲＣ−２−ＣＲＣ０は、ビットＤ４４ｈとＤ４５ｈとの間の通常の場所において送信される。
更に、上記の説明は、主として、（オープン）Ｉｕインターフェイスを経てのＧＳＭコードスピーチ／データの送信に集約されたが、基本的には、Ｉｕｂ及びＩｕｒインターフェイス（図示せず）を経てのＧＳＭコードスピーチ／データの送信についても同じである。Ｉｕｂは、第３世代ベースステーションとＲＮＣとの間のインターフェイスを示す。Ｉｕｒは、２つのＲＮＣ間のインターフェイスを示す。これは、アクセスネットワークＡＮ内で、ユーザ平面（フレーム）フォーマットが、Ｉｕインターフェイスに採用されたものと同じであることを意味する。
【００２８】
従って、以上に説明したように、本発明は、テレコミュニケーションネットワークにおいてデータを送信するための送信方法であって、上記ネットワークは、コアネットワークＣＮ及びアクセスネットワークＡＮを備え、アクセスネットワークＡＮは、ＧＳＭベースのアクセスシステム形式の少なくとも１つのアクセスシステムＲＡＮ：ＢＳＳを含み、上記方法は、上記アクセスネットワークＡＮのＧＳＭベースのアクセスシステム形式の上記少なくとも１つのアクセスシステムＢＳＳと上記コアネットワークＣＮとの間でＩｕインターフェイスＩｕ−Ｉ／Ｆを経てデータを送信する段階を含む方法を提案する。又、本発明は、それに基づいて構成されたネットワーク要素を提供することも目的とする。本発明によれば、ＵＭＴＳ／第３世代仕様に基づき、オープンの、即ちネットワークオペレータ所有でないＩｕインターフェイスにおいてＧＳＭコードスピーチのデータフォーマットをサポートすることにより、リソースに関して著しい節約を得ることができる。従って、ＧＳＭトランスコーダ及び第３世代のトランスコーダと、ＧＳＭベースステーションコントローラ及び第３世代の無線ネットワークコントローラを一体化して、ＧＳＭ及び第３世代の両システムに対して同じハードウェアリソースを使用することができる。
以上の説明及び添付図面は、単に本発明を一例として示すものに過ぎないことを理解されたい。従って、本発明の好ましい実施形態は、特許請求の範囲内で種々変更し得るものである。
【図面の簡単な説明】
【図１】  ＧＳＭ仕様に基づく公知のテレコミュニケーションシステムを示す概略図である。
【図２】  ＧＳＭ仕様に基づいて動作するように構成されたテレコミュニケーションサブシステムと、ＵＭＴＳのような第３世代（３Ｇ）仕様に基づいて動作するように構成されたテレコミュニケーションサブシステムとを備えた公知のテレコミュニケーションシステムを示す図である。
【図３】  本発明の第１の実施形態によりＧＳＭ及びＵＭＴＳ仕様に各々合致するアクセスシステムを含むテレコミュニケーションネットワークを示す図である。
【図４】  本発明の第２の実施形態によりＧＳＭ及びＵＭＴＳ仕様に各々合致するアクセスシステムを含むテレコミュニケーションネットワークを示す図である。
【図５】  １６ｋビット／ｓのＴＲＡＵフレームの構造を示す図である。
【図６】  ＡＴＭ接続（Ｉｕインターフェイス）に使用される第１フレーム形式を示す図である。
【図７】  ８ｋビット／ｓのＴＲＡＵフレームの構造を示す図である。
【図８】  ＡＴＭ接続（Ｉｕインターフェイス）に使用される第２フレーム形式を示す図である。
【図１】
0003782348.tif 000002
【図２】
0003782348.tif 000003
【図３】
0003782348.tif 000004
【図４】
0003782348.tif 000005
【図５】
0003782348.tif 000006
【図６】
0003782348.tif 000007
【図７】
0003782348.tif 000008
【図８】
0003782348.tif 000009